(57)【特許請求の範囲】
【請求項１】
カメラ本体に取り付けられるシャッタ装置であって、
開口部が形成される地板と、
前記開口部を閉じる位置と前記開口部を開く位置間で移動するシャッタ羽根と、
前記地板に対して回動することで、前記開口部を閉じる方向に前記シャッタ羽根を駆動する駆動レバーであって、アマチャを有する駆動レバーと、
前記駆動レバーを付勢する駆動ばねと、
前記アマチャを磁気的に吸着保持するヨークと、を備え、
前記アマチャと前記ヨークとの吸着保持を解除して、前記駆動ばねの付勢力により前記駆動レバーを回動させ、このとき、前記シャッタ羽根は、前記開口部を閉じる方向に駆動され、
前記カメラ本体に組み込まれた状態で、前記アマチャの前記ヨークとの吸着面が前記カメラ本体の底面に対して垂直な方向となり、かつ前記駆動レバーの回動軸よりも前記カメラ本体の底面側に配置され、
前記アマチャの前記ヨークとの吸着保持が解除された際、前記駆動レバーは、前記駆動ばねの付勢力により前記カメラ本体の底面側から前記カメラ本体の上面側に向けて回動し、
前記アマチャと前記ヨークとの吸着面を露出させる清掃用開口部が形成されていることを特徴とするシャッタ装置。
【請求項２】
レンズを取り外し可能に搭載するレンズマウント部を有するカメラ本体部材と、シャッタ装置と、を備え、
前記シャッタ装置は、
開口部が形成される地板と、
前記開口部を閉じる位置と前記開口部を開く位置間で移動するシャッタ羽根と、
前記地板に対して回動することで、前記開口部を閉じる方向に前記シャッタ羽根を駆動する駆動レバーであって、アマチャを有する駆動レバーと、
前記駆動レバーを付勢する駆動ばねと、
前記アマチャを磁気的に吸着保持するヨークと、を備え、
前記シャッタ装置は、前記アマチャと前記ヨークとの吸着保持を解除して、前記駆動ばねの付勢力により前記駆動レバーを回動させ、このとき、前記シャッタ羽根は、前記開口部を閉じる方向に駆動され、
前記シャッタ装置は、前記カメラ本体に組み込まれた状態で、前記アマチャの前記ヨークとの吸着面が前記カメラ本体の底面に対して垂直な方向となり、かつ前記駆動レバーの回動軸よりも前記カメラ本体の底面側に配置され、
前記アマチャの前記ヨークとの吸着保持が解除された際、前記駆動レバーは、前記駆動ばねの付勢力により前記カメラ本体の底面側から前記カメラ本体の上面側に向けて回動し、
前記シャッタ装置には、前記アマチャと前記ヨークとの吸着面を露出させる清掃用開口部が形成され、
前記カメラ本体部材には、受け板部が形成され、
前記シャッタ装置が前記カメラ本体部材に取り付けられることで、前記受け板部が前記清掃用開口部を覆うことを特徴とするカメラ。
【請求項３】
前記カメラ本体部材は、ミラーを回動可能に支持するミラーボックスであることを特徴とする請求項２記載のカメラ。
【請求項４】
カメラ本体に取り付けられるシャッタ装置であって、
開口部が形成される地板と、
前記開口部を閉じる位置と前記開口部を開く位置間で移動するシャッタ羽根と、
前記地板に対して回動することで、前記開口部を閉じる位置と前記開口部を開く位置間で前記シャッタ羽根を移動させる羽根レバーと、
前記羽根レバーを付勢する復帰ばねと、
前記地板に対して回動することで、前記シャッタ羽根が前記開口部を閉じる方向に、前記羽根レバーを駆動する駆動レバーであって、アマチャを有する駆動レバーと、
前記駆動レバーを付勢する駆動ばねと、
前記アマチャを磁気的に吸着保持するヨークと、を有し、
前記アマチャと前記ヨークとの吸着保持を解除して、前記駆動ばねの付勢力により前記駆動レバーおよび前記羽根レバーを回動させ、このとき、前記シャッタ羽根は、前記開口部を閉じる方向に駆動され、
前記カメラ本体に組み込まれた状態で、前記アマチャの前記ヨークとの吸着面が前記カメラ本体の底面に対して垂直な方向となり、かつ前記駆動レバーの回動軸よりも前記カメラ本体の底面側に配置され、
前記アマチャと前記ヨークとの吸着保持が解除された際、前記駆動レバーは、前記駆動ばねの付勢力により前記カメラ本体の底面側から前記カメラ本体の上面側に向けて回動し、
前記アマチャと前記ヨークとの吸着面に付着した異物を除去することが可能な清掃用開口部が形成されていることを特徴とするシャッタ装置。
【請求項５】
レンズを取り外し可能に搭載するレンズマウント部を有するカメラ本体部材と、シャッタ装置と、を備え、
前記シャッタ装置は、
開口部が形成される地板と、
前記開口部を閉じる位置と前記開口部を開く位置間で移動するシャッタ羽根と、
前記地板に対して回動することで、前記開口部を閉じる位置と前記開口部を開く位置間で前記シャッタ羽根を移動させる羽根レバーと、
前記羽根レバーを付勢する復帰ばねと、
前記地板に対して回動することで、前記シャッタ羽根が前記開口部を閉じる方向に、前記羽根レバーを駆動する駆動レバーであって、アマチャを有する駆動レバーと、
前記駆動レバーを付勢する駆動ばねと、
前記アマチャを磁気的に吸着保持するヨークと、を備え、
前記シャッタ装置は、前記アマチャと前記ヨークとの吸着保持を解除して、前記駆動ばねの付勢力により前記駆動レバーおよび前記羽根レバーを回動させ、このとき、前記シャッタ羽根は、前記開口部を閉じる方向に駆動され、
前記シャッタ装置は、前記カメラ本体に組み込まれた状態で、前記アマチャの前記ヨークとの吸着面が前記カメラ本体の底面に対して垂直な方向となり、かつ前記駆動レバーの回動軸よりも前記カメラ本体の底面側に配置され、
前記アマチャと前記ヨークとの吸着保持が解除された際、前記駆動レバーは、前記駆動ばねの付勢力により前記カメラ本体の底面側から前記カメラ本体の上面側に向けて回動し、
前記シャッタ装置には、前記アマチャと前記ヨークとの吸着面に付着した異物を除去することが可能な清掃用開口部が形成され、
前記カメラ本体部材には、受け板部が形成され、
前記シャッタ装置が前記カメラ本体部材に取り付けられることで、前記受け板部が前記清掃用開口部を覆うことを特徴とするカメラ。
【請求項６】
前記カメラ本体部材は、ミラーを回動可能に支持するミラーボックスであることを特徴とする請求項５記載のカメラ。
【発明の詳細な説明】
【技術分野】
【０００１】
本発明は、デジタルカメラ等の撮像装置に搭載されるシャッタ装置及び該シャッタ装置を有するカメラに関し、特に、アマチャを磁気的に吸着するヨークを備えるシャッタ装置及び該シャッタ装置を有するカメラに関する。
【背景技術】
【０００２】
デジタルカメラ等の撮像装置に搭載されるシャッタ装置として、露光時にシャッタ開口を開く位置へ走行する先羽根と、露光時にシャッタ開口を閉じる位置へ走行する後羽根とを有するものがある。
【０００３】
先羽根は、ばね等の駆動源、及び制御マグネットに吸着保持されるアマチャを有する駆動ユニットに連結されており、撮影準備状態で、チャージレバーによりアマチャを制御マグネットのヨーク吸着面に接触させ、シャッタ開口を閉じた位置で保持される。また、後羽根についても先羽根と同様な駆動ユニットに連結されており、撮影準備状態で、チャージレバーによりアマチャを制御マグネットのヨーク吸着面に接触させ、シャッタ開口を開いた位置で保持される。
【０００４】
そして、撮影時においては、チャージレバーは、先羽根及び後羽根の保持位置から退避し、先羽根及び後羽根は、通電された制御マグネットの磁力により、走行開始位置に保持される。その後、先羽根から制御マグネットへの通電が断たれて、先羽根がシャッタ開口を開く位置に走行し、所定秒時後、後羽根の制御マグネットの通電が断たれて、後羽根がシャッタ開口を閉じる位置に走行することで、露光が行われる。走行完了後、チャージレバーにより、先羽根及び後羽根は撮影準備位置へ移動させ、次の撮影を待つ。
【０００５】
また、一眼レフタイプのデジタルカメラでは、フォーカルプレーンシャッタと電子シャッタとを併用したシャッタ装置で撮像動作を行うものがある。このシャッタ装置は、後幕をメカニカルシャッタで構成し、電子シャッタは、後幕の走行に先行して、撮像素子の画素のリセット走査を行う。撮像素子の電荷蓄積開始走査は、後幕のメカニカルシャッタの走行特性に合わせた走査パターンとなっている。
【０００６】
ところで、制御マグネットの通電が断たれるタイミングを変えて、露光時間を制御するシャッタ装置では、アマチャと制御マグネットのヨークとの吸着面に塵埃、水滴、油等の異物が付着すると、羽根の走行タイミングがずれてしまい、正規の露光時間が得られなくなってしまう。
【０００７】
そのため、シャッタ装置の組立中又は組み立て後にアマチャと制御マグネットのヨークとの吸着面の異物を取り除くために、吸着面は外部に露出されている。また、カメラ組み込み時に、吸着面への異物の侵入を防ぐため、シャッタ地板に駆動レバーを嵌合させる窪みを設け、シャッタ地板にヨークとアマチャを吸着させた状態でカメラに組み込む技術が開示されている（特許文献１）。
【０００８】
しかし、上記従来の技術では、シャッタ装置をカメラに組み込んだ後に、ミラーやギヤ等の可動部から摺動粉や油等の異物がシャッタ装置に侵入してアマチャとヨークとの吸着面に付着してしまうという問題がある。
【０００９】
そこで、シャッタプレート、カバープレート、及び駆動電極部位の周りをシールド部材によって覆うことで、シャッタ装置への異物の侵入を防ぐ構造が開示されている（特許文献２）。
【先行技術文献】
【特許文献】
【００１０】
【特許文献１】特開平９−１７９１６４号公報
【特許文献２】特開２００５−２２７３５９号公報
【発明の概要】
【発明が解決しようとする課題】
【００１１】
しかし、上記特許文献２では、シャッタ装置全体を覆うシールド部材を追加する必要があるため、コスト高になり、また、カメラの組立性が悪化する。
【００１２】
そこで、本発明は、新たな部材を追加することなく、アマチャとヨークとの吸着面への異物の付着を防止することができるシャッタ装置及び該シャッタ装置を有するカメラを提供することを目的とする。
【課題を解決するための手段】
【００１３】
上記目的を達成するために、本発明のシャッタ装置は、カメラ本体に取り付けられるシャッタ装置であって、開口部が形成される地板と、前記開口部を閉じる位置と前記開口部を開く位置間で移動するシャッタ羽根と、前記地板に対して回動することで、前記開口部を閉じる方向に前記シャッタ羽根を駆動する駆動レバーであって、アマチャを有する駆動レバーと、前記駆動レバーを付勢する駆動ばねと、前記アマチャを磁気的に吸着保持するヨークと、を備え、前記アマチャと前記ヨークとの吸着保持を解除して、前記駆動ばねの付勢力により前記駆動レバーを回動させ、このとき、前記シャッタ羽根は、前記開口部を閉じる方向に駆動され、前記カメラ本体に組み込まれた状態で、前記アマチャの前記ヨークとの吸着面が前記カメラ本体の底面に対して垂直な方向となり、かつ前記駆動レバーの回動軸よりも前記カメラ本体の底面側に配置され、前記アマチャの前記ヨークとの吸着保持が解除された際、前記駆動レバーは、前記駆動ばねの付勢力により前記カメラ本体の底面側から前記カメラ本体の上面側に向けて回動し、前記アマチャと前記ヨークとの吸着面を露出させる清掃用開口部が形成されていることを特徴とする。
また、本発明のシャッタ装置は、カメラ本体に取り付けられるシャッタ装置であって、開口部が形成される地板と、前記開口部を閉じる位置と前記開口部を開く位置間で移動するシャッタ羽根と、前記地板に対して回動することで、前記開口部を閉じる位置と前記開口部を開く位置間で前記シャッタ羽根を移動させる羽根レバーと、前記羽根レバーを付勢する復帰ばねと、前記地板に対して回動することで、前記シャッタ羽根が前記開口部を閉じる方向に、前記羽根レバーを駆動する駆動レバーであって、アマチャを有する駆動レバーと、前記駆動レバーを付勢する駆動ばねと、前記アマチャを磁気的に吸着保持するヨークと、を有し、前記アマチャと前記ヨークとの吸着保持を解除して、前記駆動ばねの付勢力により前記駆動レバーおよび前記羽根レバーを回動させ、このとき、前記シャッタ羽根は、前記開口部を閉じる方向に駆動され、前記カメラ本体に組み込まれた状態で、前記アマチャの前記ヨークとの吸着面が前記カメラ本体の底面に対して垂直な方向となり、かつ前記駆動レバーの回動軸よりも前記カメラ本体の底面側に配置され、前記アマチャと前記ヨークとの吸着保持が解除された際、前記駆動レバーは、前記駆動ばねの付勢力により前記カメラ本体の底面側から前記カメラ本体の上面側に向けて回動し、前記アマチャと前記ヨークとの吸着面に付着した異物を除去することが可能な清掃用開口部が形成されていることを特徴とする。
【発明の効果】
【００１４】
本発明によれば、新たな部材を追加することなく、アマチャとヨークとの吸着面に異物が付着するのを防止することができる。
【図面の簡単な説明】
【００１５】
【図１】本発明のシャッタ装置の実施形態の一例であるメカニカルシャッタの分解斜視図である。
【図２】図１に示すメカニカルシャッタが搭載されるデジタル一眼レフカメラの概略断面図である。
【図３】メカニカルシャッタの撮影待機状態を示す要部平面図である。
【図４】第２のカムギヤのカム面から羽根レバーのカムフォロワが外れる瞬間を示す図である。
【図５】羽根レバーの被駆動面が羽根駆動レバーの駆動面に当接して停止している状態を示す図である。
【図６】羽根駆動レバーに取り付けられたコロはが第１のカムギヤのカム面から外れた状態を示す図である。
【図７】シャッタ羽根群の走行が完了した状態を示す図である。
【図８】メカニカルシャッタをカメラ本体の底面側から見た斜視図である。
【図９】メカニカルシャッタをミラーボックスに固定する前の状態を示す斜視図である。
【発明を実施するための形態】
【００１６】
以下、本発明の実施形態の一例を図面を参照して説明する。
【００１７】
図１は本発明のシャッタ装置の実施形態の一例であるメカニカルシャッタの分解斜視図、図２は図１に示すメカニカルシャッタが搭載されるデジタル一眼レフカメラの概略断面図である。
【００１８】
まず、図２を参照して、本実施形態のメカニカルシャッタが搭載されるデジタル一眼レフカメラについて説明する。図２に示すように、デジタル一眼レフカメラは、カメラ本体１にレンズ鏡筒１ａが着脱可能に装着される。また、カメラ本体１には、クイックリターンミラー２が撮影光路に進入する位置（ミラーダウン）と撮影光路から退避する位置（ミラーアップ）との間で回動可能に設けられている。
【００１９】
そして、クイックリターンミラー２がミラーダウンの状態のときは、レンズ鏡筒１ａから入射した被写体の光束がクイックリターンミラー２で反射された後、ペンタプリズム３を介して接眼レンズ４へと導かれる。また、クイックリターンミラー２がミラーアップ状態のときは、レンズ鏡筒１ａから入射した被写体の光束がメカニカルシャッタ５を介して撮像素子６へと導かれる。
【００２０】
撮像素子６は、メカニカルシャッタ５と同調してスリット露光を行う電子先幕シャッタ機能を備えている。撮像素子６に蓄積された電荷は、撮影前に放電されることで画素のリセット走査を行い、撮影待機状態となる。そして、メカニカルシャッタ５のシャッタ羽根群が開き、撮像素子６が露光状態となってから、シャッタ羽根群の走行方向と同方向にスリット露光を行う。スリット露光後、メカニカルシャッタ５のシャッタ羽根群が走行することにより、撮像素子６の全画素の同秒時の露光が可能となる。
【００２１】
次に、本発明のシャッタ装置の実施形態の一例であるメカニカルシャッタ５について説明する。
【００２２】
本実施形態のメカニカルシャッタ５は、図１に示すように、地板５０１に開口部５０１ａが形成されている。また、地板５０１には、軸部５０１ｂが突設されており、軸部５０１ｂは、撮影光軸１０１よりもカメラ本体１の底面側に位置して配置されている。軸部５０１ｂには、羽根駆動レバー５０２、及び羽根レバー５０３が同軸で回転可能に支持されている。羽根駆動レバー５０２は、駆動ばね５１１により軸部５０１ｂを中心として図の時計回り方向に付勢されている。
【００２３】
また、地板５０１には、軸部５０１ｃ，５０１ｄ，５０１ｅが突設されており、軸部５０１ｃ，５０１ｄ，５０１ｅには、シャッタカバー５３１が取り付けられている。シャッタカバー５３１には、羽根レバー５０３の回転位相を検出するフォトセンサ５３２が取り付けられている。また、シャッタカバー５３１には、ヨーク５３３及びコイル５３４がビス５３６により固定されている。
【００２４】
図３は、メカニカルシャッタ５の撮影待機状態を示す要部平面図である。図３に示すように、羽根駆動レバー５０２には、駆動面５０２ａが設けられている。この駆動面５０２ａが羽根レバー５０３の被駆動面５０３ａに接した状態で羽根駆動レバー５０２が回転することで、羽根駆動レバー５０２から羽根レバー５０３に回転力が伝達される。また、羽根駆動レバー５０２の背面には、ローラ５０６が回転可能に取り付けられている。
【００２５】
羽根レバー５０３の背面には、羽根駆動ピン５０３ｂが突設されており、この羽根駆動ピン５０３ｂを介して地板５０１の背面側に設けられた羽根アーム５０７，５０８に回転力が伝達される。
【００２６】
羽根アーム５０７，５０８、及びシャッタ羽根群５０９，５１０により周知の平行リンクを構成しており、羽根レバー５０３が回転することで、シャッタ羽根群５０９，５１０が移動する。また、羽根アーム５０７は、復帰ばね５３９により、軸部５０１ｂを中心に図の反時計回り方向に付勢されている。
【００２７】
第１のカムギヤ５０５は、地板５０１に突設された軸５０１ｆに回転可能に支持されており、不図示のモータへの通電により、図の時計回り方向に回転する。図３の状態では、第１のカムギヤ５０５のカム面５０５ａのカムトップに、羽根駆動レバー５０２に設けられたローラ５０６が係合している。これにより、羽根駆動レバー５０２の駆動ばね５１１による図の時計回り方向の付勢力がローラ５０６を介して第１のカムギヤ５０５のカム面５０５ａで受け止められ、羽根駆動レバー５０２がチャージされた状態で図３の位置で停止している。
【００２８】
第２のカムギヤ５０４は、地板５０１に突設された軸部５０１ｇに回転可能に支持されており、不図示のモータへの通電により図の反時計回り方向に回転する。また、第２のカムギヤ５０４には、羽根レバー５０３のカムフォロワ５０３ｃと係合するカム面５０４ａが形成されている。図３の状態では、羽根レバー５０３には、復帰ばね５３９による図の反時計回り方向の力がかかっているが、カム面５０４ａがカムフォロワ５０３ｃと係合することで、羽根レバー５０３は、図３の位置で停止している。
【００２９】
アマチャ５１３は、羽根駆動レバー５０２に設けられており、図３の状態で、シャッタカバー５３１に固定されたヨーク５３３に接している。また、コイル５３４が通電状態であれば、ヨーク５３３は磁化されて、アマチャ５１３を磁気的に吸着保持する。
【００３０】
更に、羽根駆動レバー５０２側のローラ５０６がカム面５０５ａから外れた状態で、コイル５３４への通電が断たれると、アマチャ５１３は、ヨーク５３３との吸着が解除され、羽根駆動レバー５０２と共に駆動ばね５１１の付勢力により図の時計回り方向に回転する。このとき、羽根レバー５０３も同方向に駆動されて、シャッタ羽根群５０９，５１０がカメラ本体１の底面から上面方向に走行して開口部５０１ａを閉じる（図７参照）。
【００３１】
ここで、アマチャ５１３とヨーク５３３との吸着面５１３ａは、カメラ本体１の底面に対して略垂直な方向に沿い、かつ地板５０１の軸部５０１ｂ（羽根駆動レバー５０２と羽根レバー５０３の回転軸）よりもカメラ本体１の底面側に配置されている。従って、アマチャ５１３とヨーク５３３との吸着保持が解除されて、アマチャ５１３が羽根駆動レバー５０２と共に図の時計回り方向に回転した際、吸着面５１３ａがカメラ本体１の上面側を向くことがない。
【００３２】
次に、メカニカルシャッタ５の動作例について説明する。
【００３３】
図３の状態でカメラ本体１に設けられた不図示のレリーズボタンが押されると、クイックリターンミラー２のミラーアップ動作を行い、コイル５３４に通電してヨーク５３３を磁化することにより、ヨーク５３３がアマチャ５１３を吸着保持する。次いで、不図示のモータへの通電により第１のカムギヤ５０５が時計回り方向に回転すると共に、第２のカムギヤ５０４が反時計回り方向に回転して、図４の状態になる。
【００３４】
図４は、第２のカムギヤ５０４のカム面５０４ａから羽根レバー５０３のカムフォロワ５０３ｃが外れる瞬間を示す図である。
【００３５】
図４の状態で、第２のカムギヤ５０４のカム面５０４ａから羽根レバー５０３のカムフォロワ５０３ｃが外れると、羽根アーム５０７は、復帰ばね５３９の付勢力により、軸部５０１ｂを中心に反時計回り方向に回転する。これにより、シャッタ羽根群５０９，５１０が開口部５０１ａを開く方向に回転して、図５の状態になる。
【００３６】
図５の状態では、羽根レバー５０３は、被駆動面５０３ａが羽根駆動レバー５０２の駆動面５０２ａに当接して停止している。このとき、羽根駆動レバー５０２に取り付けられたローラ５０６は、第１のカムギヤ５０５のカム面５０５ａに乗った状態になっており、従って、羽根駆動レバー５０２は、時計回り方向に回転できない状態になっている。
【００３７】
図５の状態から第１のカムギヤ５０５が時計回り方向に回転すると、図６の状態になる。図６の状態では、羽根駆動レバー５０２に取り付けられたローラ５０６は、第１のカムギヤ５０５のカム面５０５ａから外れているが、アマチャ５１３がヨーク５３３によって吸着保持されているため、羽根駆動レバー５０２は、回転しない。
【００３８】
次に、撮像素子６がリセット走査を行い、蓄積された電荷を放電することで撮影待機状態とした後、カメラ本体１の底面側から上面側に向けて順次スリット露光を行う。そして、カメラ本体１に設けられた不図示の操作部でユーザ設定されたシャッタスピードに対応する時間が経過した後、コイル５３４への通電をオフする。
【００３９】
コイル５３４への通電がオフされると、ヨーク５３３とアマチャ５１３の吸着保持が解除される。これにより、羽根駆動レバー５０２が駆動ばね５１１の付勢力により駆動面５０２ａ及び被駆動面５０３ａを介して羽根レバー５０３と一体にカメラ本体１の底面側から上面側に向けて時計回り方向に回転する。そして、シャッタ羽根群５０９，５１０を開口部５０１ａを閉じる方向に走行し、羽根レバー５０３が緩衝ゴム５１２をストッパーとして停止することで、シャッタ羽根群５０９，５１０の走行が完了して、図７の状態となる。
【００４０】
次に、第１のカムギヤ５０５が時計回り方向に回転して、カム面５０５ａが駆動ばね５１１の付勢力に抗してローラ５０６を押すことで、羽根駆動レバー５０２がチャージされて図２の状態に戻る。このチャージ動作中には、羽根レバー５０３のカムフォロワ５０３ｃが第２のカムギヤ５０４のカム面５０４ａに乗った状態になっているため、シャッタ羽根群５０９，５１０で開口部５０１ａを覆った状態を維持することができる。このため、電荷読み出し中の撮像素子６への露光を防止することができ、スミアの発生を防ぐことができる。
【００４１】
次に、図８を参照して、メカニカルシャッタ５の組立後にアマチャ５１３とヨーク５３３との吸着面５１３ａに付着した異物を除去する方法について説明する。図８は、メカニカルシャッタ５をカメラ本体１の底面側から見た斜視図である。
【００４２】
図８に示すように、メカニカルシャッタ５は、地板５０１とシャッタカバー５３１との間に、カメラ本体１の底面側に露出する清掃用開口部５３１ａを有している。この清掃用開口部５３１ａからメカニカルシャッタ５の組み立て中、又は組立後にアマチャ５１３とヨーク５３３との吸着面５１３ａに付着した異物の除去を行う。
【００４３】
次に、図９を参照して、メカニカルシャッタ５をミラーボックス５３５に固定する方法について説明する。図９は、メカニカルシャッタ５をミラーボックス５３５に固定する前の状態を示す斜視図である。
【００４４】
図９に示すように、ミラーボックス５３５の一部には、カメラ本体１の底面と略平行に受け板５３５ａが設けられている。メカニカルシャッタ５は、カメラ本体１の背面側からミラーボックス５３５に取り付けられるが、地板５０１に形成された穴５３７をミラーボックスの不図示のピンに嵌合することで、位置決めを行う。
【００４５】
そして、位置決め後、メカニカルシャッタ５をビス５３８によりミラーボックス５３５に取り付けた際、地板５０１とシャッタカバー５３１との間の清掃用開口部５３１ａは、ミラーボックス５３５の受け板５３５ａにより塞がれる。これにより、メカニカルシャッタ５をカメラ本体１に組み込んだ後において、カメラ本体１の底面からのアマチャ５１３とヨーク５３３の吸着面５１３ａへの異物の入り込みを防ぐことができる。
【００４６】
以上説明したように、本実施形態では、メカニカルシャッタ５をカメラ本体１に組み込んだ後は、清掃用開口部５３１ａが受け板５３５ａにより塞がれることで、カメラ本体１の底面からの吸着面５１３ａへの異物の入り込みを防ぐことができる。
【００４７】
また、本実施形態では、アマチャ５１３とヨーク５３３との吸着保持が解除されて、アマチャ５１３が羽根駆動レバー５０２と共に時計回り方向に回転した際、吸着面５１３ａがカメラ本体１の上面側を向かないようにしている。従って、メカニカルシャッタ５をカメラ本体１に組み込んだ後に、ミラーやギヤ等の可動部から摺動粉や油等の異物がメカニカルシャッタ５に侵入しても、アマチャ５１３とヨーク５３３との吸着面５１３ａに異物が付着するのを防ぐことができる。
【００４８】
これにより、新たな部材を追加することなく、アマチャ５１３とヨーク５３３との吸着面５１３ａに異物が付着するのを防止することができる。
【００４９】
なお、本発明の構成は、上記実施形態に例示したものに限定されるものではなく、材質、形状、寸法、形態、数、配置箇所等は、本発明の要旨を逸脱しない範囲において適宜変更可能である。
【符号の説明】
【００５０】
５０１  地板
５０１ｂ  軸部
５０２  羽根駆動レバー
５０３  羽根レバー
５０９，５１０  シャッタ羽根群
５１１  駆動ばね
５１３  アマチャ
５３１  シャッタカバー
５３３  ヨーク
５３９  復帰ばね
【図１】
0005725839.tif 000002
【図２】
0005725839.tif 000003
【図３】
0005725839.tif 000004
【図４】
0005725839.tif 000005
【図５】
0005725839.tif 000006
【図６】
0005725839.tif 000007
【図７】
0005725839.tif 000008
【図８】
0005725839.tif 000009
【図９】
0005725839.tif 000010